(57)【要約】      （修正有）【課題】使用方法が一目瞭然で使い易く、品質を保持しながら帯締めを留めることができる帯締め留め具を提供する。【解決手段】折畳んだ状態の帯締め１０の中央部を、可撓性を有する帯状体１で包持し、帯状体１に設けられた第１の紐２が挿通する係止具４ａに、第２の紐３が成す環状部４ｂを引掛けることで固定させる帯締め留め具１００である。帯締め１０の大きさに合わせて帯締め１０の４面を包持するため、撚れや捻じれを防ぎ品質が保たれる。【選択図】図５
0003234290.tif 000002
【実用新案登録請求の範囲】
【請求項１】
可撓性を有する帯状体と、
前記帯状体の一端に環状を成すように設けられた弾力性を有する第１の紐と、
前記帯状体の他端に環状を成すように設けられた弾力性を有する第２の紐と、
前記第１の紐と、前記第２の紐を係止する係止部と、を有する帯締め留め具。
【請求項２】
前記係止部は、
前記第１の紐の中央付近に設けられた係止具であって、
前記係止具は、
使用状態に於いて、
前記第１の紐より外方に突出する形状を有し、
前記第１の紐と前記第２の紐が交差するように前記係止具に前記第２の紐を引掛けることにより、
前記第１の紐と前記第２の紐を係止させる
請求項１に記載の帯締め留め具。
【請求項３】
前記係止部は、
前記第１の紐に設けられた第１の係止具と、
前記第２の紐に設けられ前記第１の係止具と結合する第２の係止具と、を備えた
請求項１に記載の帯締め留め具。
【請求項４】
前記第２の紐の環状の大きさを調節する調節部を有し、
前記調節部は、前記帯状体端部に設けられた紐通し口から前記帯状体表面に設けられた紐通し口に挿通した前記第２の紐を可動させることができる
請求項１から３のいずれかに記載の帯締め留め具。
【考案の詳細な説明】
【技術分野】
【０００１】
本考案は、帯締め留め具に関するものである。
【背景技術】
【０００２】
帯締めは、きもの着装時に帯を固定する組紐である。購入時には、折畳んだ紐の中央部分を紙などで留めてあるが、それを剥がしてしまうと、剥がされた紙は再利用が出来ない。このため、撚れたり捻じれたりしてしまい品質の低下が生じかねない。そこで帯締めの房部分と紐部分の両方をシートで覆うことにより形を整え整理する特許文献１の帯締め収納具が考えられている。
【０００３】
また、帯締めを留めることに特化したものではないが、輪ゴムを用いてコード、長尺物品や容器を結束することができる特許文献２の結束具が考えられている。
【先行技術文献】
【特許文献】
【０００４】
【特許文献１】特開２０１３−１６７０４１公報
【特許文献２】特開２００２−１０４４９１公報
【考案の概要】
【考案が解決しようとする課題】
【０００５】
前述特許文献１の発明品では、１枚のシートに、帯締めの房と紐を区分けして巻き込む方法をとっている。これにより一体的に整然と収納できるようになっている。しかし１枚のシートの両面に４か所の面テープが配置され、それぞれの面テープの役割に従って順番に巻き込んで固定する構造となっているため、慣れるまでは手順が煩雑で扱いづらい。
【０００６】
前述特許文献２の発明品では、１本の輪ゴムに鉤型のフックを設け、結束物に輪ゴムを捲回させ輪ゴムの先端にフックを引掛け留める構造となっている。一重の捲回で緩い時には、２重３重に捲回し結束できることが利点となっている。帯締めは、公正競争規約で１３５〜１７５ｃｍと決められている組紐である。折畳まれた状態の帯締めを一重のゴム紐だけで留めるには不安定である。また、帯締めは細くて繊細な絹糸を組み合わせて出来ているため、ゴム紐で２重３重に巻かれてしまうと撚れなどの品質の低下に繋がりかねない。当該発明品は、使い易く便利であるが、帯締めを留めるには適していない。
【０００７】
すなわち、使い易く、しっかりと帯締めを留めることが出来る帯締め留め具が求められている。
【課題を解決するための手段】
【０００８】
本考案は、可撓性を有する帯状体と、前記帯状体の一端に環状を成すように設けられた弾力性を有する第１の紐と、前記帯状体の他端に環状を成すように設けられた弾力性を有する第２の紐と、前記第１の紐と、前記第２の紐を係止する係止部と、を有する帯締め留め具である。
【０００９】
本考案の前記係止部は、前記第１の紐の中央付近に設けられた係止具であって、前記係止具は、使用状態に於いて前記第１の紐より外方に突出する形状を有し、前記第１の紐と前記第２の紐が交差するように、前記係止具に前記第２の紐を引掛けることにより、前記第１の紐と前記第２の紐を係止させるものである。
【００１０】
本考案の前記係止部は、前記第１の紐に設けられた第１の係止具と、前記第２の紐に設けられ前記第１の係止具と結合する第２の係止具と、を備えている。
【００１１】
本考案は、前記第２の紐の環状の大きさを調節する調節部を有し、前記調節部は、前記帯状体端部に設けられた紐通し口から、前記帯状体表面に設けられた紐通し口に挿通した前記第２の紐を可動させることが出来る機能を有している。
【考案の効果】
【００１２】
本考案の帯締め留め具の利点は、使用方法がはっきりと明らかで使い易いこと。及び簡単な構造ながらも、帯締めをしっかりと包持固定し、品質を保てることで有る。
【図面の簡単な説明】
【００１３】
【図１】本考案の実施例１の帯締め留め具の平面図である。
【図２】本考案の実施例１における帯締め留め具の係止方法を示す斜視図である。
【図３】本考案の実施例１の帯締め留め具の接着前後の内部構造を示す側面図である。
【図４】本考案の実施例１における帯締め留め具を用いて、帯締めを固定する前後の状態を示す断面図である。
【図５】本考案の実施例１における帯締め留め具を用いて、帯締めを固定した状態を示す斜視図である。
【図６】本考案の実施例１の帯締め留め具において、調節部を使用した状態を示す斜視図である。
【図７】本考案の実施例２の帯締め留め具の平面図である。
【図８】本考案の実施例２の帯締め留め具の斜視図である。
【図９】本考案の実施例３の帯締め留め具の斜視図である。
【考案を実施するための形態】
【実施例】
【００１４】
本考案の実施例１に係る帯締め留め具１００の構成について、図１から図６を用いて以下に説明する。
【００１５】
図１から図３は実施例１の帯締め留め具１００を表す図である。構成であるが、可撓性を有する帯状体１と、帯状体１の長手方向の一端に設けられた弾力性を有する第１の紐２と、帯状体１の長手方向の他端に設けられた弾力性を有する第２の紐３と、第１の紐２の途中部に係止具４ａと、を有している。第１の紐２に接続金具７と、第２の紐３には、引手金具８と、紐止め布９とを備えている。係止具４ａには貫通穴５を設けている。
【００１６】
帯状体１は長手を有する矩形となっており、図３に示すように矩形の長手方向の両端を折り返した二重構造になっている。帯状体１の内部には、調節部１１を設けている。また帯状体１の長手方向の一端には孔をあけ、紐通し口６ａ、６ｂを設けている。同様に帯状体１の長手方向の他端と帯状体１の表面にも孔をあけ、帯状体１の他端に紐通し口６ｃ、６ｄと、帯状体１の表面には紐通し口６ｅと、を設けている。
【００１７】
帯状体１の一端に設けられた第１の紐２の端部２ａは、帯状体１の内部から、帯状体１に設けた紐通し口６ａを通り６ｂに挿通した後、帯状体１の内部で、接続金具７にて第１の紐２の端部２ｂと繋がっている。これにより第１の紐２は環状を成す。また、第１の紐２が成す環状部の途中には、球形の係止具４ａを備えている。係止具４ａには貫通穴５を設け、そこに第１の紐２を挿通させることで、第１の紐２と係止具４ａと帯状体１が接続されている。
【００１８】
帯状体１の他端に設けられた第２の紐３の端部３ａは、帯状体１に設けられた紐通し口６ｃに挿通し、帯状体１の内部で紐止め布９に縫合している。第２の紐３の端部３ｂは、帯状体１に設けられた紐通し口６ｄに挿通し、帯状体１の内部で端部３ａと交差した後、帯状体１の表面に設けられた紐通し口６ｅを通り帯状体１の表面に接続している。第２の紐３はその端部が紐通し口６ｃと６ｄに挿通することで環状を成し、帯状体１に接続している。また、第２の紐３が成す環状部４ｂは、被係止具としての役割を備えている。第２の紐３の端部３ｂは帯状体１の表面で引手金具８を取付けており、紐通し口６ｅから帯状体１の内部への逆流を防いでいる。
【００１９】
係止部は、第１の紐２が挿通した係止具４ａと、第２の紐３が成す環状部４ｂで構成されている。
【００２０】
調節部１１は、第２の紐３と紐止め布９と、引手金具８とで構成されている。帯状体１は、折り返した面の内側に接着剤を塗布し内部を接着させているが、調節部１１に係る部分に於いて、帯状体１の内部は紐止め布９の下面と接着させており、紐止め布９の上面と帯状体１との間に非接着空間を維持している。この非接着部が調節部１１となる。紐止め布９の上に紐通し口６ｅが設けられているため、帯状体１に設けられた紐通し口６ｄから６ｅに至る第２の紐３の可動領域を調節部１１として構成している。
【００２１】
図４は、実施例１に係る帯締め留め具１００を用いて、帯締め１０を固定する前後の状態を示す断面図であり、図５は、実施例１に係る帯締め留め具１００を用いて帯締め１０を固定した状態を示す斜視図である。
【００２２】
本考案の帯締め留め具１００は、帯状体１に設けられた第１の紐２と第２の紐３とを係止部にて係止し、帯締め１０を留める構造になっている。帯状体１の一端に設けられ第１の紐２が挿通している係止具４ａは、第１の紐２の中央付近に、第１の紐２より外方に突出した状態で位置している。そこに、第２の紐３が成す環状部４ｂを、交差するように引掛けることで、係止具４ａがストッパーとなり第１の紐２と第２の紐３を係止する。これにより本考案に於ける係止部が成立する。
【００２３】
本考案の帯締め留め具１００の使用方法であるが、図４、図５で示すように、折畳んだ状態の帯締め１０の中央部を、可撓性を有する帯状体１で下方から左右両面を挟み込み、帯締め１０の上面で、前述のように帯状体１に設けられた係止部にて係止し留めるようになっている。さらに係止具４ａの突出した形状が、帯締め１０を上方から押さえるので、帯締め１０は、よりしっかりと固定される。また帯状体１がしなやかな材質であるため、帯締め１０の形状に沿って、包み込むように留めることが出来るのである。
【００２４】
図６は、本考案の実施例１の帯締め留め具１００において、引手金具８を引っ張ることで第２の紐３の端部３ｂを引き出し、第２の紐３が成す環状部４ｂの大きさを調節した状態を示す斜視図である。
【００２５】
帯締めは、用途によって幅や厚みが変わっており均一な大きさでは無い。これに対応するため、本考案の帯締め留め具１００は、弾力性を有する紐の伸縮作用を利用し係止しているが、併せて調節部１１を設けることで、帯締め１０の大きさに合わせて、被係止具となる第２の紐３が成す環状部４ｂの大きさを調節することが出来るため、帯締め１０の幅や厚みが違っても、しっかりと係止できる構造になっている。
【００２６】
第２の紐３が成す環状部４ｂの大きさの調節は、環状を成す紐の一端を固定し、その他端を動かすことにより行っている。帯状体１内部の非接着部に設けた紐の可動領域を利用し、第２の紐３の端部３ｂを動かすことで、その環状部分の大きさを変えている。第２の紐３は、端部３ａが紐止め布９に固定され環状を成している。このため第２の紐３の他端３ｂに取付けた引手金具８を、図中左方向に引き伸ばすことにより、環状部分は小さくなり、図中右方向に押し戻せば大きく出来るので、帯締め１０の大きさに合わせて、第２の紐３が成す環状部４ｂの大きさを調節することができる。また、引き伸ばされた第２の紐３の端部３ｂが、紐の弾性に伴う伸縮作用により元に戻ろうとするのを、接触面に働く摩擦力を利用することで抑えている。第２の紐３の端部３ｂは、帯状体１の内部に設けた紐止め布９の上面で、紐止め布９に縫合した端部３ａと交差しているが、端部３ａが端部３ｂの上方を通って紐止め布９に縫合させていることから、端部３ｂは端部３ａに押さえられた形状での接触となっている。また紐通し口６ｃ、６ｄ、６ｅも、第２の紐３の太さと嵌合した穴径にし、摩擦力の働きが活かせる構造となっている。
【００２７】
本考案の帯締め留め具１００は、折畳んだ帯締め１０の中央部分を、帯状体１が下方から左右両面を支え込み、帯締め１０の上面で、帯状体１に設けられた２本の紐と係止部にて留めるようになっている。帯締め１０の上下左右４面を包持する構造である。また、帯締め１０の大きさに合わせて係止できるため、帯締め留め具１００を使用することにより、帯締め１０は動かずにしっかり固定され、形状を維持し続ける。これにより、撚れたり捻じれたりすること無く、品質を保つことが可能となる。このようにシンプルな構造で繰り返し使用が出来、簡単な操作でありながら、帯締め１０を支え・留め・品質を保持するという３つの役割を備えている。その構成、作用、効果が簡潔明瞭であって合理的かつ実用性、利便性に優れたものである。
【００２８】
図７と図８は、帯締め１０を磁力により結合させる構造に於いての、実施例２の帯締め留め具１０１である。前記帯締め留め具１００と同様に、可撓性を有する帯状体１と、前記帯状体１の一端に環状を成すように設けられた弾力性を有する第１の紐２と、前記帯状体１の他端に環状を成すように設けられた弾力性を有する第２の紐３と、前記第１の紐２を挿通した第１の係止具４ｃと、前記第２の紐３を挿通した第２の係止具４ｄと、を有している。図４と同様に、前記帯状体１により折り畳んだ状態の帯締め１０の中央部を包持し、前記第１の係止具４ｃに設けられた第１磁石部と前記第２の係止具４ｄに設けられた第２磁石部とを磁力により結合させることにより、前記帯締め１０を留める帯締め留め具１０１である。
【００２９】
上記実施例２の帯締め留め具１０１においては、磁力により、ワンタッチで付けたり外したり出来るもので、爪を伸ばしている人や、指先に不具合など有る人にとって着脱が簡便で使い易い構造である。
【００３０】
帯締め留め具１０１においては、帯状体１に設けられた第１の紐２と第２の紐３が挿通した係止具４ｃと４ｄが結合し留まる構造になっている。実施例２では磁力を利用しているが、磁力に限らず、係止具４ｃと４ｄに螺旋結合部を備え、回転させることにより結合する係止部を有するものであっても同様の効果を奏するものである。
【００３１】
上記実施例１、および実施例２では、係止部に玉を用いた例を示したが、図９の帯締め留め具１０２で示すように、係止部が玉以外であっても、同様の効果を奏するものである。
【符号の説明】
【００３２】
１      帯状体
２      第１の紐
２ａ    第１の紐の端部
２ｂ    第１の紐の端部
３      第２の紐
３ａ    第２の紐の端部
３ｂ    第２の紐の端部
４ａ    係止具
４ｂ    第２の紐３が成す環状部
４ｃ    第１の係止具
４ｄ    第２の係止具
４ｅ    係止具
５      貫通穴
６ａ    紐通し口
６ｂ    紐通し口
６ｃ    紐通し口
６ｄ    紐通し口
６ｅ    紐通し口
７      接続金具
８      引手金具
９      紐止め布
１０    帯締め
１１    調節部
１００  帯締め留め具
１０１  帯締め留め具
１０２  帯締め留め具
【図１】
0003234290.tif 000003
【図２】
0003234290.tif 000004
【図３】
0003234290.tif 000005
【図４】
0003234290.tif 000006
【図５】
0003234290.tif 000007
【図６】
0003234290.tif 000008
【図７】
0003234290.tif 000009
【図８】
0003234290.tif 000010
【図９】
0003234290.tif 000011